(57)【特許請求の範囲】
【請求項１】
手動操作によってレンズ部の焦点調節を行うマニュアルフォーカス手段と、
前記レンズ部の自動焦点調整を行なうオートフォーカス手段と、
前記マニュアルフォーカス手段が駆動できるように前記マニュアルフォーカス手段と前記レンズ部との間を接続するマニュアルフォーカス状態と、前記オートフォーカス手段が駆動できるように前記オートフォーカス手段と前記レンズ部との間を接続するオートフォーカス状態との選択的な切換が可能な切換手段と、
前記切換手段に配置された操作釦と、該操作釦と連動するロック片と、前記操作釦を操作することにより前記ロック片が挿入される第１凹部と、前記第１凹部とは異なる位置に備えられ前記第１凹部よりも幅が狭い第２凹部と、前記第１凹部及び前記第２凹部とは異なる位置に備えられ前記第１凹部よりも幅が狭い第３凹部とを有するロック手段とを含み、
前記ロック片が前記第１凹部に挿入されたとき、前記第１凹部内を前記ロック片が移動することにより前記切換手段による前記マニュアルフォーカス状態と前記オートフォーカス状態との切換が可能になり、前記ロック片が前記第２凹部及び前記第３凹部の一方に挿入されたとき前記マニュアルフォーカス状態になり前記第２凹部及び前記第３凹部の一方の内の前記ロック片の移動が規制され前記切換手段による前記オートフォーカス状態への切換が禁止され、前記ロック片が前記第２凹部及び前記第３凹部の他方に挿入されたとき前記オートフォーカス状態になり前記第２凹部及び前記第３凹部の他方の内の前記ロック片の移動が規制され前記切換手段による前記マニュアルフォーカス状態への切換が禁止されることを特徴とするレンズ鏡筒。
【請求項２】
前記マニュアルフォーカス手段は、レンズ鏡筒の前記レンズ部を手動操作によって移動させるためのマニュアル操作部材を有し、
前記オートフォーカス手段は、前記レンズ部を自動的に移動させるオートフォーカス駆動部を有し、
前記切換手段は、前記マニュアル操作部材と前記レンズ部との間又は前記オートフォーカス駆動部と前記レンズ部との間の選択的な接続を行なうためのクラッチ手段と、前記レンズ鏡筒の固定筒に回転可能に設けられ、その回転に応じて前記クラッチ手段に前記選択的な接続を行わせる切換部材とを有し、
前記ロック手段は、前記切換部材の回転を禁止することで、当該切換手段による前記マニュアルフォーカス手段と前記オートフォーカス手段との切換を禁止することを特徴とする請求項１に記載のレンズ鏡筒。
【請求項３】
前記ロック手段は、前記操作釦が押圧された状態で前記切換部材が一定角度回転されたときに、前記ロック片が前記第１凹部から前記第２凹部又は前記第３凹部に挿入されて、当該切換部材の回転が禁止され得るようになっていることを特徴とする請求項２に記載のレンズ鏡筒。
【請求項４】
前記切換部材の回転によって前記マニュアルフォーカス手段が選択されているとき、または、前記オートフォーカス手段が選択されているときに、その回転位置で当該切換部材をクリックするクリック手段が設けられていることを特徴とする請求項２又は請求項３に記載のレンズ鏡筒。
【発明の詳細な説明】
【０００１】
【発明の属する技術分野】
本発明は、レンズ鏡筒に設けられた切換部を操作することで、当該レンズをマニュアルフォーカス用レンズ、オートフォーカス用レンズとして用いることができるレンズ鏡筒に関する。
【０００２】
【従来の技術】
オートフォーカス機能を備えた一眼レフレックスカメラに装着されるレンズにおいて、そのレンズ鏡筒に、マニュアルフォーカスとオートフォーカスを切り換えるための切換部（例えば、ＡＦ−ＭＦ切換環）が設けられたものが公知である。
かかるレンズ（以下「ＡＦ−ＭＦ切換レンズ」という。）には、そのレンズ鏡筒に、レンズをマニュアルフォーカス用レンズとして機能させるためのマニュアルフォーカス部（マニュアル操作部等）と、オートフォーカス用レンズとして機能させるためのオートフォーカス手段（オートフォーカス駆動部等）とが設けられ、更に、レンズ鏡筒内のレンズ部と前記マニュアル操作部との間、又はレンズ部と前記オートフォーカス駆動部との間にクラッチ機構が設けられている。
【０００３】
このクラッチ機構を、前記切換部（ＡＦ−ＭＦ切換環）の操作によって（ＡＦ−ＭＦ切換環の切換位置に応じて）動作することで、前記レンズ部と前記マニュアル操作部との間／前記レンズ部と前記オートフォーカス駆動部との間が、選択的に接続されて、レンズ鏡筒に設けられたマニュアルフォーカス手段、オートフォーカス手段が選択的に実行可能になる。
【０００４】
このクラッチ機構、切換部（ＡＦ−ＭＦ切換環）により、オートフォーカス手段の選択時、レンズ部がオートフォーカス駆動部等によって動作しても、マニュアル操作部が連動することがなくなる。
又、マニュアルフォーカス手段の選択時、レンズ部がマニュアル操作部等によって移動しても、オートフォーカス駆動部との接続が断たれているため、オートフォーカス駆動部（例えば、カメラ本体側の駆動機構）が、レンズ部の動作時の負荷とならずに、マニュアル操作部による円滑な焦点調整が可能となる。
【０００５】
【発明が解決しようとする課題】
ところで、このＡＦ−ＭＦ切換レンズに設けられた切換部（ＡＦ−ＭＦ切換環）は、ＡＦ撮影−ＭＦ撮影を頻繁に切り換えることを前提とするのであれば、弱い操作力で操作（又は簡単な操作）できるようにして、その操作性の向上を図る方がよい。
【０００６】
しかし、撮影者が専らＡＦ撮影を行うのであれば、切換部（ＡＦ−ＭＦ切換環）は、オートフォーカス手段を選択する切換位置（オートフォーカス位置）のままで、マニュアルフォーカス手段を選択する切換位置（マニュアルフォーカス位置）に切り換え難くした方がよい。反対に、撮影者が専らＭＦ撮影を行なう場合には、切換部（ＡＦ−ＭＦ切換環）をマニュアルフォーカス位置のままで、オートフォーカス位置に切り換え難くした方がよい。
【０００７】
従って、上記のように、切換部（ＡＦ−ＭＦ切換環）による切換を弱い操作力（又は簡単な操作）で可能にすると、ＡＦ撮影−ＭＦ撮影の切換をあまり行わない撮影者にとって使い勝手が悪いと云う問題がある。
又、ＡＦ撮影−ＭＦ撮影の切換を頻繁に行う撮影者にとっても、カメラの不使用時には（例えば、鞄に入れて持ち運ぶ際）、勝手に動かないように、切換部（ＡＦ−ＭＦ切換環）を固定しておきたいと云う要求もある。
【０００８】
一方、ＡＦ撮影−ＭＦ撮影の切換をあまり行わない撮影者に合わせて、切換部（ＡＦ−ＭＦ切換環）の操作をし難くすると（強い操作力又は複雑な操作でのみ操作可能にすると）、反対に、ＡＦ撮影−ＭＦ撮影の切換を頻繁に行う撮影者にとって使い勝手が悪くなると云う、相反した問題が生じる。
本発明は、かかる事情に鑑みてなされたもので、手動操作によってレンズの焦点調節を行うマニュアルフォーカス手段と、前記レンズの自動焦点調整を行なうオートフォーカス手段とを、レンズ鏡筒に設けられた切換手段によって選択的に実行可能に切り換えることができるレンズ鏡筒において、当該切換手段の操作性を、撮影者のＡＦ撮影−ＭＦ撮影の仕方の多様性に応じて、多様化し、レンズ鏡筒の使い勝手を向上させることを目的とする。
【０００９】
【課題を解決するための手段】
上記目的を達成するため、請求項１に記載の発明は、手動操作によってレンズ部の焦点調節を行うマニュアルフォーカス手段と、前記レンズ部の自動焦点調整を行なうオートフォーカス手段と、前記マニュアルフォーカス手段が駆動できるように前記マニュアルフォーカス手段と前記レンズ部との間を接続するマニュアルフォーカス状態と、前記オートフォーカス手段が駆動できるように前記オートフォーカス手段と前記レンズ部との間を接続するオートフォーカス状態との選択的な切換が可能な切換手段と、前記切換手段に配置された操作釦と、該操作釦と連動するロック片と、前記操作釦を操作することにより前記ロック片が挿入される第１凹部と、前記第１凹部とは異なる位置に備えられ前記第１凹部よりも幅が狭い第２凹部と、前記第１凹部及び前記第２凹部とは異なる位置に備えられ前記第１凹部よりも幅が狭い第３凹部とを有するロック手段とを含み、前記ロック片が前記第１凹部に挿入されたとき、前記第１凹部内を前記ロック片が移動することにより前記切換手段による前記マニュアルフォーカス状態と前記オートフォーカス状態との切換が可能になり、前記ロック片が前記第２凹部及び前記第３凹部の一方に挿入されたとき前記マニュアルフォーカス状態になり前記第２凹部及び前記第３凹部の一方の内の前記ロック片の移動が規制され前記切換手段による前記オートフォーカス状態への切換が禁止され、前記ロック片が前記第２凹部及び前記第３凹部の他方に挿入されたとき前記オートフォーカス状態になり前記第２凹部及び前記第３凹部の他方の内の前記ロック片の移動が規制され前記切換手段による前記マニュアルフォーカス状態への切換が禁止されるものである。
【００１０】
又、請求項２に記載の発明は、前記マニュアルフォーカス手段が、レンズ鏡筒の前記レンズ部を手動操作によって移動させるためのマニュアル操作部材を有し、前記オートフォーカス手段が、前記レンズ部を自動的に移動させるオートフォーカス駆動部を有し、前記切換手段が、前記マニュアル操作部材と前記レンズ部との間又は前記オートフォーカス駆動部と前記レンズ部との間の選択的な接続を行なうためのクラッチ手段と、前記レンズ鏡筒の固定筒に回転可能に設けられその回転に応じて前記クラッチ手段に前記選択的な接続を行わせる切換部材とを有するようにし、前記ロック手段が、前記切換部材の回転を禁止することで、当該切換手段による前記マニュアルフォーカス手段と前記オートフォーカス手段との切換を禁止するものである。
【００１１】
又、請求項３に記載の発明は、前記ロック手段が、前記操作釦が押圧された状態で前記切換部材が一定角度回転されたときに、前記ロック片が前記第１凹部から前記第２凹部又は前記第３凹部に挿入されて、当該切換部材の回転を禁止し得るようにしたものである。
【００１２】
又、請求項４に記載の発明は、前記切換部材の回転によって前記マニュアルフォーカス手段が選択されているとき、または、前記オートフォーカス手段が選択されているときに、その回転位置で当該切換部材をクリックするクリック手段を設けたものである。
【００１３】
（作用）
上記請求項１の発明によれば、前記切換手段のみを用いて前記マニュアルフォーカス手段と前記オートフォーカス手段との切換が可能になる。他方、前記切換手段と、これとは別個に設けられたロック手段とを併用した前記マニュアルフォーカス手段と前記オートフォーカス手段との２段階の切換が可能になる。ここで前記切換手段のみを用いた操作は、ロック手段とを併用した操作に比べて、弱い操作力又は簡単な操作で実行可能になる。
【００１４】
又、請求項２の発明によれば、前記切換部材の回転を禁止し得る前記ロック手段を設けるだけで、前記マニュアルフォーカス手段と前記オートフォーカス手段との切換を、弱い操作力（又は簡単な操作）と、強い操作力（又は複雑な操作）との２段階に、容易に分けることができる。
又、請求項３の発明によれば、前記操作釦が押圧された状態で前記切換部材が一定角度回転されたときに、前記ロック片が前記ロック用凹部に嵌合されるので、前記切換手段と当該ロック手段を用いた、強い操作力（又は複雑な操作）による前記マニュアルフォーカス手段と前記オートフォーカス手段との２段階の切換を、簡単な構成で行なうことができる。
【００１５】
又、請求項４の発明によれば、前記クリック手段により、前記切換手段のみを用いた切換操作時に、撮影者に、弱い操作力（又は簡単な操作）による前記マニュアルフォーカス手段と前記オートフォーカス手段との選択を、簡易な構成で認識させることができる。
【００１６】
【発明の実施の形態】
以下、本発明の実施の形態について、図１から図１２を参照して説明する。尚、この実施の形態は、請求項１から請求項４に対応する。
【００１７】
先ず、この実施の形態に係るレンズ鏡筒１００の全体構成について、図１を用いて説明する。
図１に示すように、レンズ鏡筒１００は、固定筒１と、フォーカスレンズ（レンズ部）２と、回転筒３と、マニュアル操作筒（マニュアル操作部材）４と、カップリング軸（駆動軸）５と、ギア軸６と、クラッチ機構（クラッチ手段）１０と、切換環（切換部材）２０と、切換環２０も設けられたロック機構（ロック手段）３０とを、主たる構成要素としている。
【００１８】
尚、このレンズ鏡筒１００においては、手動操作によってフォーカスレンズ２の焦点調節を行うためのマニュアルフォーカス手段がマニュアル操作筒４によって構成され、フォーカスレンズ２の自動焦点調整を行なうためのオートフォーカス手段のオートフォーカス駆動部がカップリング軸（駆動軸）５、ギア軸６によって構成されている。又、この実施の形態では、切換手段がクラッチ機構１０と切換環２０とによって構成されている。
【００１９】
ここで、前記フォーカスレンズ２は、これに形成されたヘリコイド２ａが、固定筒１側に形成されたヘリコイド１ａに嵌合されている。又、フォーカスレンズ２に設けられたピン２ｂは、回転筒３の案内溝３ａ、固定筒１の案内孔１Ｚに摺動自在に嵌合されている。
【００２０】
フォーカスレンズ２は、回転筒３が固定筒１に対して相対的に回転すると、図２の矢印で示すように、回転筒３の案内溝３ａが固定筒１の案内孔１Ｚに対して移動し、ピン２ｂが案内孔１Ｚによって移動方向が規制されつつ、案内孔３ａ内を光軸Ｌ１方向に移動する（図２（ａ）（ｂ）中の矢印で示す）。このピン２ｂの動きによってフォーカスレンズ２が光軸Ｌ１に沿って移動する。
【００２１】
ここで、回転筒３は、前記切換環２０が、後述のオートフォーカス位置（第１の位置）にあるときには、カップリング軸（駆動軸）５の回転に伴って回転する。尚、カップリング軸（駆動軸）５は、カメラ本体側のモータ（共に図示省略）によって回転する。一方、前記切換環２０が、後述のマニュアルフォーカス位置（第２の位置）にあるときには、回転筒３は、マニュアル操作筒４の回転に伴って回転する。
【００２２】
次に、レンズ鏡筒１００において、手動操作によってレンズの焦点調節を行うマニュアルフォーカス手段と、前記レンズの自動焦点調整を行なうオートフォーカス手段とを選択的に実行可能に切り換える切換手段（クラッチ機構１０及び切換環２０）のうちクラッチ機構１０について、図１、図３から図４を用いて説明する。
【００２３】
切換手段を構成するクラッチ機構１０は、前記回転筒３と前記マニュアル操作筒４との間、又は、前記回転筒３と前記カップリング軸（オートフォーカス駆動部）５との間を選択的に接続するためのもので、切換環２０の回転に応じて動作する。
このクラッチ機構１０は、図１，図３に示すように、板バネ１１と、クラッチ軸１２と、クラッチレバー１３と、このクラッチレバー１３の略中央に形成された連結ピン１４とによって構成されている。
【００２４】
ここで板バネ１１は、マニュアル操作筒４と回転筒３とを連結するためのものである。この板バネ１１は、その一方の端部１１ｂがマニュアル操作筒４側の固定部４Ｐに固定され、他方の端部１１ａがその上下動に応じて回転筒３のギア部３ｂに嵌合可能になっている。
又、前記クラッチ軸１２は、ギア軸６と回転筒３とを連結するためのものである。このクラッチ軸１２は、カップリング軸５に対して光軸Ｌ１方向に移動可能で、かつ、カップリング軸５と一体的に回転するようになっている。
【００２５】
又、クラッチレバー１３は、その一端に形成された鍵部１３ｂがクラッチ軸１２に嵌合されて、これを光軸Ｌ１方向に移動させるようになっている。又、クラッチレバー１３は、他端に形成された板バネ跳上部１３ａが、板バネ１１の端部１１ａと当接して、これを上下動させるようになっている。
又、クラッチ軸１２の略中央に形成された連結ピン１４は、切換環２０の回転に伴って、光軸Ｌ１方向に移動するように構成されている。この連結ピン１４の移動によって、クラッチレバー１３が光軸Ｌ１方向に移動する（図３，図４の矢印Ａ，Ｂ）。
【００２６】
例えば、切換環２０が、自動焦点調整を行うためのオートフォーカス手段を選択する位置（以下「オートフォーカス位置（第１の位置）」という。）にあるときには（図１，図３）、クラッチレバー１３は、カメラ本体側から離れた位置となり（図３中の矢印Ａ側に移動）、クラッチレバー１３の鍵部１３ｂに嵌合されているクラッチ軸１２が、カップリング軸５とギア軸６とを連結する。このとき、クラッチレバー１３の板バネ跳上部１３ａは、板バネ１１の端部１１ａを上方に跳ね上げるので、端部１１ａは、回転筒３のギア部３ｂと嵌合しない。
【００２７】
従って、切換環２０がオートフォーカス位置（第１の位置）にあるときには、カメラ本体側に設けられた駆動部（モータ）によってカップリング軸５が回転されたときに、ギア軸６も回転することとなって、フォーカスレンズ２の自動焦点調整が、実行可能になる。
一方、切換環２０が、手動操作によってレンズの焦点調節を行うためのマニュアルフォーカスを選択する位置（以下「マニュアルフォーカス位置（第２の位置）」という。）のときには、連結ピン１４は、図４の矢印Ｂに示す方向に移動し、クラッチレバー１３がカメラ本体側に引き寄せられる（図４，図５）。このとき、クラッチレバー１３の鍵部１３ｂに嵌合されているクラッチ軸１２は、カップリング軸５とギア軸６とを引き離す。一方、クラッチレバー１３の板バネ跳上部１３ａは、板バネ１１の端部１１ａを押し上げることはなく、端部１１ａがギア部３ｂに嵌合する。
【００２８】
従って、板バネ１１は、端部１１ｂが回転筒３のギア部３ｂに嵌合されることになり、マニュアル操作筒４が回転したとき回転筒３も回転することになり、フォーカスレンズ２の手動操作による焦点調整が、実行可能になる。
次に、レンズ鏡筒１００において、マニュアルフォーカス手段とオートフォーカス手段とを選択的に実行可能に切り換える切換手段（クラッチ機構１０及び切換環２０）のうちの切換環２０、及び、これに設けられたロック機構３０について、図６から図１０を用いて説明する。
【００２９】
切換環２０は、その回転方向に応じて、その案内溝２０ｅに沿って連結ピン１４を移動させるもので、切換環２０により連結ピン１４は、光軸Ｌ１方向に対して、図３，図４の矢印Ａ，Ｂの何れかの方向に移動する。
この連結ピン１４の光軸Ｌ１方向の移動により、前記したクラッチ機構１０のクラッチレバー１３が移動する。
【００３０】
ここで、切換環２０の切換位置としては、上記したオートフォーカス位置（図３、図７）、マニュアルフォーカス位置（図４、図８）の他、オートフォーカス位置（第１の位置）の外側にオートフォーカスロック位置（図９に示す第３の位置）、前記マニュアルフォーカス位置（第２の位置）の外側にマニュアルフォーカスロック位置（図１０に示す第４の位置）が設けられている。
【００３１】
以下、切換環２０のロック機構３０の具体的な構成、及びその作用について説明する。
図６に示すように、切換環２０は、固定筒１の凹部１ｄに嵌合され、かつ、固定筒１に対して相対的に回転可能となっている。
この切換環２０の内周面には凹部２０ａが形成され、この凹部２０ａに、突起（ロック片）２２を有する板バネ２３が収容されている。
【００３２】
板バネ２３は、凹部２０ａにその一端２３ａがビス止めされ、他端２３ｂに前記突起２２が形成されると共に切欠部２３ｃが形成され、この切欠部２３ｃに操作釦２４が嵌合されている。
板バネ２３が切換環２０に収容された状態では、操作釦２４は、切換環２０の開口２０ｂから突出する（図７から図１２）。
【００３３】
突起２２は、通常（操作釦２４が押されていないとき）、固定筒１側に形成された凹部１Ｘ，１Ｙ，１Ｚの何れかに、板バネ２３の戻り力によって嵌合される。
ここで、凹部１Ｘの幅は、突起２２の幅に比べて十分に広く、突起２２は、凹部１Ｘの範囲内で、単独で回転可能になっている。この凹部１Ｘの幅が、オートフォーカス位置（第１の位置）からマニュアルフォーカス位置（第２の位置）までの切換環２０の回転範囲に相当する（図７、図８）。
【００３４】
尚、凹部１Ｙ，１Ｚは、ロック用凹部であり、その幅は、略突起２２の幅と同じであり、突起２２が凹部１Ｙ，１Ｚと嵌合しているときは、切換環２０は回転不能である。凹部１Ｙがオートフォーカスロック位置（第３の位置）に相当し、凹部１Ｚがマニュアルフォーカスロック位置（第４の位置）に相当する。
突起２２は、凹部１Ｘ，１Ｙ，１Ｚの相互の間は、操作釦２４が押圧されたときにのみ、移動可能になる。
【００３５】
例えば、切換環２０を、図７に示す通常のオートフォーカス位置（第１の位置）から図９に示すオートフォーカスロック位置（第３の位置）に切り換える際には、先ず、図１１に示すように操作釦２４を押し（切換環２０が凹部１Ｘを超えて回転可能な状態）、次いで、操作釦２４が押された状態で切換環２０を回転させて突起２２を、凹部１Ｘと凹部１Ｙとの間の凸部を乗り越えさせる（図１２）。このように、切換環２０を、突起２２が凹部１Ｘにある状態（図７）から操作釦２４を押して、凹部１Ｙに嵌合可能な状態となるまでの一定角度回転させることで、突起２２が凹部１Ｙに嵌合され、ロックされる（オートフォーカスロック位置）。
【００３６】
切換環２０を、図８に示す通常のマニュアルフォーカス位置（第２の位置）から図１０に示すマニュアルフォーカスロック位置（第４の位置）にする場合も同様である。
尚、切換環２０には、切換操作時に、撮影者に、オートフォーカス位置（第１の位置）又はマニュアルフォーカス位置（第２の位置）であることを認識させるためのクリック機構（クリック手段）４０が設けられている（図７，図８）。
【００３７】
このクリック機構４０は、固定筒１に固定されたクリックバネ４１と、切換環２０の凹部２０ｄの内壁面に形成されたクリック溝２０ｆ，２０ｇとによって構成されている。このクリック機構４０では、切換環２０がオートフォーカス位置（第１の位置）にあるときには、その嵌合部４１ａがクリック溝２０ｇに嵌合し、切換環２０がマニュアルフォーカス位置（第２の位置）にあるときには、嵌合部４１ａがクリック溝２０ｆに嵌合して、切換環２０が、各々の切換位置でクリックされるようになっている。
【００３８】
以上説明したように、この実施の形態のレンズ鏡筒１００では、クラッチ機構１０によって前記回転筒３（フォーカスレンズ２側）と前記マニュアル操作筒４との間、又は、前記回転筒３（フォーカスレンズ２側）と前記カップリング軸（オートフォーカス駆動部）５との間を選択的に接続させる切換環２０は、オートフォーカス位置（第１の位置）からマニュアルフォーカス位置（第２の位置）、及びその逆へは、操作釦２４を押すことなく、切換環２０を、単独で、回転すればよい。
【００３９】
これに対して、オートフォーカス位置（第１の位置）からオートフォーカスロック位置（第３の位置）、及びその逆へは、操作釦２４を押す操作と、切換環２０を一定角度回転する操作の２つを同時に行なわなければならない。同様に、マニュアルフォーカス位置（第２の位置）からマニュアルフォーカスロック位置（第４の位置）、及びその逆へも、操作釦２４を押す操作と、切換環２０を一定角度回転する操作を同時に行わなければならない。
【００４０】
このように切換環２０による切換を、切換環２０単独でこれを回転することにより行なうことと、操作釦２４を押す操作と切換環２０を回転する操作を同時に行うことの、２段階としたことで、以下のような作用効果が得られる。
即ち、オートフォーカス位置（第１の位置）とマニュアルフォーカス位置（第２の位置）との間の切換環２０単独での切換時には、クリックバネ４１がクリック溝２０ｆ，２０ｇと嵌合することでその位置がクリックされるのみで、撮影者は、切換環２０の回転を容易に（弱い操作力又は簡単な操作で）行なうことができる。従って、ＡＦ撮影−ＭＦ撮影を頻繁に切り換える撮影者は、レンズ鏡筒１００の使用時、切換環２０をオートフォーカス位置（第１の位置）とマニュアルフォーカス位置（第２の位置）との間で、その切換操作を行えばよい。
【００４１】
又、不使用のときには（例えば、鞄に入れて持ち運ぶ際）、操作釦２４を押圧して、切換環２０をオートフォーカスロック位置（第３の位置）、又は、マニュアルフォーカスロック位置（第４の位置）にしておけば、更に操作釦２４を押さない限り、切換環２０が不用に切り換わることがない。
一方、専らＡＦ撮影を行なう撮影者や、専らＭＦ撮影を行なう撮影者は、操作釦２４を押圧して、切換環２０をオートフォーカスロック位置（第３の位置）、又は、マニュアルフォーカスロック位置（第４の位置）にしておけばよい。
【００４２】
この発明は、実施の形態で示した構成のレンズ鏡筒に限らず、手動操作によってフォーカスレンズの焦点調節を行うマニュアルフォーカス手段と、フォーカスレンズの自動焦点調整を行なうオートフォーカス手段とを、切換手段によって、選択的に実行可能に切り換えることができるレンズ鏡筒であれば、如何なる構成のものでも適用可能である。
【００４３】
特に、上記した実施の形態では、手動操作によってフォーカスレンズ２の焦点調節を行うマニュアルフォーカス手段としてマニュアル操作筒４を有し、フォーカスレンズ２の自動焦点調整を行なうオートフォーカス手段としてカップリング軸５を有するタイプのレンズ鏡筒１００、即ち、フォーカスレンズ２を駆動するモータがカメラ本体側に配置される一眼レフレックスカメラ用のレンズ鏡筒を例にあげて説明したが、フォーカスレンズ駆動用のモータが内蔵されたレンズ鏡筒にも、本発明を適用できるのは、勿論である。
【００４４】
又、この実施の形態では、一眼レフレックスカメラのレンズ鏡筒について説明したが、レンズ交換が可能なカメラ一般に適用可能であることは、勿論である。
【００４５】
【発明の効果】
請求項１に記載の発明によれば、手動操作によってレンズの焦点調節を行うマニュアルフォーカス手段と前記レンズの自動焦点調整を行なうオートフォーカス手段とを選択的に実行可能に切り換える切換手段を、単独で操作することによる弱い操作力（又は簡単な操作）による切換操作と、前記切換手段と、これとは別個に設けられたロック手段とを併用した強い操作力（又は複雑な操作）による前記マニュアルフォーカス手段と前記オートフォーカス手段との切換操作の２段階の操作が実現できる。従って、切換手段の操作性を、撮影者のＡＦ撮影−ＭＦ撮影の仕方の多様性に応じて多様化することができ、レンズ鏡筒の使い勝手が向上する。
【００４６】
又、請求項２に記載の発明によれば、マニュアル操作部材と前記レンズ部との間、又は前記オートフォーカス駆動部と前記レンズ部との間の選択的な接続を行なうため切換部材の回転を禁止する簡単な構成のロック手段で、当該クラッチ手段による切換を禁止することができる。従って、切換部材を単独で回転させるという弱い操作力（又は簡単な操作）による切換と、切換部材とロック手段とによる強い操作力（又は複雑な操作）による切換の２段階の操作が容易に実現でき、その操作性の多様化が図れる。
【００４７】
又、請求項３に記載の発明は、ロック片とロック用凹部とを嵌合させることで切換部材の回転禁止が可能になるので、当該ロック手段を、簡単な構造とすることができる。
又、請求項４に記載の発明によれば、前記切換手段単独での切換操作時に、撮影者に、弱い操作力又は簡単な操作による前記マニュアルフォーカス手段と前記オートフォーカス手段との選択を、当該クリック手段によって認識させることができ、強い操作力又は複雑な操作による切換操作と区別でき、切換部材の操作性が多様化した場合でも、レンズ鏡筒の使い勝手を良好にできる。
【図面の簡単な説明】
【図１】本発明の実施の形態のレンズ鏡筒１００のオートフォーカス時の断面図である。
【図２】レンズ鏡筒１００のフォーカス時の回転筒３側の案内溝３ａと、固定筒１側の案内孔１Ｚとの関係を示す図である。
【図３】オートフォーカス時のクラッチ機構１０を示す斜視図である。
【図４】マニュアルフォーカス時のクラッチ機構１０を示す斜視図である。
【図５】本発明の実施の形態のレンズ鏡筒１００のマニュアルフォーカス時の断面図である。
【図６】レンズ鏡筒１００の固定筒１に嵌合される切換環２０及びこれに設けられたロック機構３０を示す分解斜視図である。
【図７】オートフォーカス位置にある切換環２０及びこれに設けられたロック機構３０を示す断面、及びそのときの案内溝２０ｅ内での連結ピン１４の位置を示す図である。
【図８】マニュアルフォーカス位置にある切換環２０及びこれに設けられたロック機構３０を示す断面、及びそのときの案内溝２０ｅ内での連結ピン１４の位置を示す図である。
【図９】オートフォーカス位置にある切換環２０の操作釦２４を押して、オートフォーカスロック位置にした状態を示す断面、及びそのときの案内溝２０ｅ内での連結ピン１４の位置を示す図である。
【図１０】マニュアルフォーカスロック位置にある切換環２０及びこれに設けられたロック機構３０を示す断面、及びそのときの案内溝２０ｅ内での連結ピン１４の位置を示す図である。
【図１１】オートフォーカス位置にある切換環２０の操作釦２４を押した状態を示す断面、及びそのときの案内溝２０ｅ内での連結ピン１４の位置を示す図である。
【図１２】オートフォーカス位置にある切換環２０の操作釦２４を押して回転させている状態を示す断面、及びそのときの案内溝２０ｅ内での連結ピン１４の位置を示す図である。
【符号の説明】
１  固定筒
１Ｙ  マニュアルフォーカス側ロック溝（ロック用凹部）
１Ｚ  オートフォーカス側ロック溝（ロック用凹部）
２  フォーカスレンズ（レンズ部）
３  回転筒
４  マニュアル操作筒（マニュアルフォーカス手段）
５  カップリング軸（オートフォーカス手段）
１０  クラッチ機構（切換手段）
１１  板バネ
１３  クラッチレバー
１３ａ  板バネ跳上部
１４  連動ピン
２０  切換環（切換部材、切換手段）
２０ｆ，２０ｇ  クリック溝（クリック手段）
２２  突起（ロック片）
２４  操作釦
２３  板バネ
３０  ロック機構（ロック手段）
４０  クリック機構
４１  クリックバネ（クリック手段）
【図１】
0004314672.tif 000002
【図２】
0004314672.tif 000003
【図３】
0004314672.tif 000004
【図４】
0004314672.tif 000005
【図５】
0004314672.tif 000006
【図６】
0004314672.tif 000007
【図７】
0004314672.tif 000008
【図８】
0004314672.tif 000009
【図９】
0004314672.tif 000010
【図１０】
0004314672.tif 000011
【図１１】
0004314672.tif 000012
【図１２】
0004314672.tif 000013